(57)【要約】【課題】省エネモード時に画像処理装置の電源を落とさず、ＡＣ０Ｗを実現し、ネットワーク応答が可能な画像処理装置を提供する。【解決手段】充電池４の状態が所定の値を下回ったことを充電池状態検知部５が検知したら（S5；Y)、復帰要因検知部２への電力源を選択し切り替える電源選択・切り替え部８により、複数の電力源６の中で最小の消費電力の電力源をオンし（S6）、充電池４は、復帰要因検知部２への電力供給をオフする(S7)。充電池４への充電元として選択し切替る充電元選択・切り替え部７により、複数の電力源の中で最小な消費電力の電力源をオンして（S8）、充電池を充電する（S9）。充電が終了したら、復帰要因検知部２への電力源を選択し切り替える電源選択・切り替え部８により充電池４の復帰要因検知部２への電力供給をオンし（S11）、復帰要因検知部２に電力を供給していた複数の電力源の中で最小消費電力の電力源をオフする（S12）。【選択図】  図２
2010003178.tif 000002
【特許請求の範囲】
【請求項１】
通常動作モードと、電力消費を抑制する省エネモードとを有する画像処理装置において、
省エネモードから通常動作モードへ復帰するための復帰要因を検知する復帰要因検知部と、
前記復帰要因検知部へ電力供給可能な充電池と、
前記充電池の状態検知が可能な充電池状態検知部と、
前記復帰要因検知部への電力供給と前記充電池への充電が同時に可能である複数の電力源と、
前記復帰要因検知部への電力供給源を前記充電池か前記複数の電力源のいずれかまたは両方かの選択・切り替えを行い、選択が前記複数の電力源であれば使用可能な最も消費電力が少ない電力源を選択し切り替える電源選択・切り替え部と、
充電元として前記複数の電力源の中から使用可能な最も消費電力が少ない電力源を選択し切り替える充電元選択・切り替え部と、を備え、
省エネモードでは前記充電池からの電力供給を行い、
前記充電池状態検知部が、前記充電池の状態が所定値を下回ったことを検知した時に、前記電源選択・切り替え部が、前記復帰要因検知部への電力源を選択し切り替え、
前記充電池状態検知部が、前記充電池の状態が所定値を下回ったことを検知した時に、前記充電元選択・切り替え部が、充電池への充電元として電力源を選択し切り替えることを特徴とする画像処理装置。
【請求項２】
前記複数の電力源の各々について使用可能であるか否かを検知し、その可否についての情報を前記充電元選択・切り替え部へ発信することが可能な電力源検知部をさらに備えたことを特徴とする請求項１記載の画像処理装置。
【請求項３】
前記充電池状態検知部が、前記充電池の状態が所定値を下回ったことを検知し、且つ、前記電力源検知部が使用可能な電力源をも検知出来ずに、前記充電池の所定値をさらに下回る値を下回った時に、画像処理装置を安全にシャットダウンすることを特徴とする請求項２に記載の画像処理装置。
【請求項４】
前記複数の電力源は、ＡＣ電源または接続されているＰＣなどの周辺機器から供給されるバスパワーとすることを特徴とする請求項２または請求項３に記載の画像処理装置。
【請求項５】
前記充電池状態検知部が、前記充電池の状態が所定値を下回ったことを検知し、前記電力源検知部が前記バスパワーを検知すると、前記充電元選択・切り替え部により前記バスパワーで充電を行うことを特徴とする請求項４に記載の画像処理装置。
【請求項６】
前記充電池状態検知部が、前記充電池の状態が所定値を下回ったことを検知し、前記電力源検知部が前記バスパワーを検知すると、前記電源選択・切り替え部により前記復帰要因検知部への電力供給を前記バスパワーに切り替えることを特徴とする請求項４に記載の画像処理装置。
【請求項７】
前記バスパワーによる充電が完了したことを前記充電池状態検知部が検知すると、前記充電元選択・切り替え部により前記充電池への充電を止め、前記電源選択・切り替え部により復帰要因検知部への電力供給を充電池からに切り替えることを特徴とする請求項５または請求項６に記載の画像処理装置。
【請求項８】
前記充電池状態検知部が、前記充電池の状態が所定値を下回ったことを検知し、前記電力源検知部が前記バスパワーを検知出来ず、前記ＡＣ電源を検知すると、前記充電元選択・切り替え部により前記ＡＣ電源で充電を行うことを特徴とする請求項４に記載の画像処理装置。
【請求項９】
前記充電池状態検知部が、前記充電池の状態が所定値を下回ったことを検知し、前記電力源検知部が前記バスパワーを検知出来ず、前記ＡＣ電源を検知すると、前記電源選択・切り替え部により前記復帰要因検知部への電力供給を前記ＡＣ電源に切り替えることを特徴とする請求項４に記載の画像処理装置。
【請求項１０】
前記充電池状態検知部が、前記ＡＣ電源による充電が完了したことを検知すると、前記充電元選択・切り替え部により前記充電池への充電を止め、前記電源選択・切り替え部により、前記復帰要因検知部への電力供給を充電池からに切り替えることを特徴とする請求項８または請求項９に記載の画像処理装置。
【請求項１１】
通常動作モードと、電力消費を抑制する省エネモードとを有し、
省エネモードから通常動作モードへ復帰するための復帰要因を検知する復帰要因検知部と、
前記復帰要因検知部へ電力供給可能な充電池と、
前記充電池の状態検知が可能な充電池状態検知部と、
前記復帰要因検知部への電力供給と前記充電池への充電が同時に可能である複数の電力源と、
前記復帰要因検知部への電力供給源を前記充電池か前記複数の電力源のいずれかまたは両方かの選択・切り替えを行い、選択が前記複数の電力源であれば、使用可能な最も消費電力が少ない電力源を選択し切り替える電源選択・切り替え部と、
前記充電池の状態が所定値を下回ったことを、前記充電池状態検知部が検知した時に、充電元として前記複数の電力源の中から電力源を選択し切り替える充電元選択・切り替え部と、を備え、
前記充電池状態検知部が、前記充電池の状態が所定値を下回ったことを検知する第１のステップと、
第１のステップで、前記充電池の状態が所定値を下回ったことが検知されたとき、前記電源選択・切り替え部が、使用可能な最も消費電力が少ない電力源を選択し切り替える第２のステップと、
第１のステップで、前記充電池の状態が所定値を下回ったことが検知されたとき、前記充電元選択・切り替え部が、充電元として前記複数の使用可能な電力源の中から最も消費電力が少ない電力源を選択し切り替える第３のステップとからなることを特徴とする画像処理装置の制御方法。
【発明の詳細な説明】
【技術分野】
【０００１】
本発明は、省電力モード時のＡＣ電力供給を０Ｗにする画像処理装置および画像処理装置の制御方法に関する。
【背景技術】
【０００２】
オフィスなどで、複数の画像処理装置をネットワークで接続して、効率的に事務処理を行うことが広く普及している。また、これらの画像処理装置は、待機の時間も通電しており、消費電力を抑制するという省エネルギーの観点から、可能な限り電力の消費を減少させるとする要請が強い。そこで、省エネモードを設けるなど、種々の技術が開発が行われてきた。
【特許文献１】特開２００５−２７８１１０
【特許文献２】特開２００２−０６３０１１
【０００３】
これらの技術は、画像処理装置の待機時の消費電力を抑制することを目的としたものである。
【発明の開示】
【発明が解決しようとする課題】
【０００４】
ところで、待機時の消費電力を削減するため、上記特許文献に記載されたような、省電力モードを有する画像処理装置が種々提案されているが、省電力モード時においても通常モードに復帰するためにＡＣ電源が必要である。
そこで、本発明は、省エネモード時に画像処理装置の電源を落とさず、且つＡＣ０Ｗを実現し、ネットワーク応答を可能にする画像処理装置を提供することである。
【課題を解決するための手段】
【０００５】
請求項１記載の発明では、通常動作モードと、電力消費を抑制する省エネモードとを有する画像処理装置において、省エネモードから通常動作モードへ復帰するための復帰要因を検知する復帰要因検知部と、前記復帰要因検知部へ電力供給可能な充電池と、前記充電池の状態検知が可能な充電池状態検知部と、前記復帰要因検知部への電力供給と前記充電池への充電が同時に可能である複数の電力源と、前記復帰要因検知部への電力供給源を前記充電池か前記複数の電力源のいずれかまたは両方かの選択・切り替えを行い、選択が前記複数の電力源であれば使用可能な最も消費電力が少ない電力源を選択し切り替える電源選択・切り替え部と、充電元として前記複数の電力源の中から使用可能な最も消費電力が少ない電力源を選択し切り替える充電元選択・切り替え部と、を備え、省エネモードでは前記充電池からの電力供給を行い、前記充電池状態検知部が、前記充電池の状態が所定値を下回ったことを検知した時に、前記電源選択・切り替え部が、前記復帰要因検知部への電力源を選択し切り替え、前記充電池状態検知部が、前記充電池の状態が所定値を下回ったことを検知した時に、前記充電元選択・切り替え部が、充電池への充電元として電力源を選択し切り替えることにより、前記目的を達成する。
請求項２記載の発明では、請求項１記載の発明において、前記複数の電力源の各々について使用可能であるか否かを検知し、その可否についての情報を前記充電元選択・切り替え部へ発信することが可能な電力源検知部をさらに備えたことを特徴とする。
請求項３記載の発明では、請求項２記載の発明において、前記充電池状態検知部が、前記充電池の状態が所定値を下回ったことを検知し、且つ、前記電力源検知部が使用可能な電力源をも検知出来ずに、前記充電池の所定値をさらに下回る値を下回った時に、画像処理装置を安全にシャットダウンすることを特徴とする。
請求項４記載の発明では、請求項２または請求項３記載の発明において、前記複数の電力源は、ＡＣ電源または接続されているＰＣなどの周辺機器から供給されるバスパワーとすることを特徴とする。
請求項５記載の発明では、請求項４記載の発明において、前記充電池状態検知部が、前記充電池の状態が所定値を下回ったことを検知し、前記電力源検知部が前記バスパワーを検知すると、前記充電元選択・切り替え部により前記バスパワーで充電を行うことを特徴とする。
請求項６記載の発明では、請求項４記載の発明において、前記充電池状態検知部が、前記充電池の状態が所定値を下回ったことを検知し、前記電力源検知部が前記バスパワーを検知すると、前記電源選択・切り替え部により前記復帰要因検知部への電力供給を前記バスパワーに切り替えることを特徴とする。
請求項７記載の発明では、請求項５または請求項６記載の発明において、前記バスパワーによる充電が完了したことを前記充電池状態検知部が検知すると、前記充電元選択・切り替え部により前記充電池への充電を止め、前記電源選択・切り替え部により復帰要因検知部への電力供給を充電池からに切り替えることを特徴とする。
請求項８記載の発明では、請求項４記載の発明において、前記充電池状態検知部が、前記充電池の状態が所定値を下回ったことを検知し、前記電力源検知部が前記バスパワーを検知出来ず、前記ＡＣ電源を検知すると、前記充電元選択・切り替え部により前記ＡＣ電源で充電を行うことを特徴とする。
請求項９記載の発明では、請求項４記載の発明において、前記充電池状態検知部が、前記充電池の状態が所定値を下回ったことを検知し、前記電力源検知部が前記バスパワーを検知出来ず、前記ＡＣ電源を検知すると、前記電源選択・切り替え部により前記復帰要因検知部への電力供給を前記ＡＣ電源に切り替えることを特徴とする。
請求項１０記載の発明では、請求項８または請求項９記載の発明において、前記充電池状態検知部が、前記ＡＣ電源による充電が完了したことを検知すると、前記充電元選択・切り替え部により前記充電池への充電を止め、前記電源選択・切り替え部により、前記復帰要因検知部への電力供給を充電池からに切り替えることを特徴とする。
請求項１１記載の発明では、通常動作モードと、電力消費を抑制する省エネモードとを有し、省エネモードから通常動作モードへ復帰するための復帰要因を検知する復帰要因検知部と、前記復帰要因検知部へ電力供給可能な充電池と、前記充電池の状態検知が可能な充電池状態検知部と、前記復帰要因検知部への電力供給と前記充電池への充電が同時に可能である複数の電力源と、前記復帰要因検知部への電力供給源を前記充電池か前記複数の電力源のいずれかまたは両方かの選択・切り替えを行い、選択が前記複数の電力源であれば、使用可能な最も消費電力が少ない電力源を選択し切り替える電源選択・切り替え部と、前記充電池の状態が所定値を下回ったことを、前記充電池状態検知部が検知した時に、充電元として前記複数の電力源の中から電力源を選択し切り替える充電元選択・切り替え部と、を備え、前記充電池状態検知部が、前記充電池の状態が所定値を下回ったことを検知する第１のステップと、第１のステップで、前記充電池の状態が所定値を下回ったことが検知されたとき、前記電源選択・切り替え部が、使用可能な最も消費電力が少ない電力源を選択し切り替える第２のステップと、第１のステップで、前記充電池の状態が所定値を下回ったことが検知されたとき、前記充電元選択・切り替え部が、充電元として前記複数の使用可能な電力源の中から最も消費電力が少ない電力源を選択し切り替える第３のステップとからなることを特徴とする画像処理装置の制御方法により、前記目的を達成する。
【発明の効果】
【０００６】
請求項１および請求項１１記載の発明では、充電池の状態が所定値を下回ったことを、充電池状態検知部が検知した時に、復帰要因検知部への電力源を選択し切り替える電源選択・切り替え部を有しているため、充電池が放電したとしても上記復帰要因検知部に途絶えることなく電力を供給するので、復帰要因を検知可能であり、確実に省エネモードから通常モードへ復帰できるので信頼性が向上する。
請求項２記載の発明では、使用可能な復帰要因検知部への電力供給源または使用可能な充電池の充電元を検知し発信することで、最適な制御を行うことが可能となる。
請求項３記載の発明では、電池切れによる突然のシステムダウンを防ぐことが出来て、画像処理装置の安全なシャットダウンを保証できる。
請求項４記載の発明では、バスパワーを用いることでＡＣ０Ｗを達成でき、ＡＣ電源を用いるとＡＣ０Ｗではないが、更なるバックアップ用に備えることで信頼性が向上する。
請求項５記載の発明では、ＡＣ０Ｗを実現したまま充電を行うことが出来、電池は充電されるので電池切れによるシステムダウンを防ぐことが出来て、信頼性が向上する。
請求項６記載の発明では、ＡＣ０Ｗを実現したままで充電池の充電期間でも復帰要因検知部への電力供給が確保され、システムダウンを防ぐことが出来、信頼性が向上する。
請求項７記載の発明では、充電池での復帰要因検知部への電力供給に戻すため最も省エネルギーな状態に復帰することができる。
請求項８記載の発明では、ＡＣ０Ｗは実現できないが、充電を行うことが出来て、電池は充電されるので電池切れによるシステムダウンを防ぐことが出来、信頼性が向上する。
請求項９記載の発明では、ＡＣ０Ｗは実現できないが、充電池の充電期間でも上記復帰要因検知部への電力供給が確保され、システムダウンを防ぐことが出来、信頼性が向上する。
請求項１０記載の発明では、充電池での復帰要因検知部への電力供給に戻すため最も省エネルギーな状態に復帰できる。
【発明を実施するための最良の形態】
【０００７】
以下、本発明の好適な実施の形態を図１ないし図５を参照して、詳細に説明する。
図１は、第１の実施例に係る画像処理装置の構成を示したブロック図である。
本実施例に係る画像処理装置１は、復帰要因検知部２、メイン制御部３、充電池４、充電池状態検知部５、複数の電力源６、充電元選択・切り替え部７、電源選択・切り替え部８より構成されている。
次に、図２のフローチャートを参照して、第１の実施例の処理手順を説明する。
画像処理装置１が、充電池４からの電力供給で省エネモードを保っている（ステップ１）。復帰要因検知部２が省エネモードから通常モードへの復帰要因を検知したら（ステップ２；Ｙ）、メイン制御部３へ信号を送り、通常動作モードに復帰する（ステップ３）。その後、画像処理装置１が省エネモードに入る条件を満たしたら（ステップ４；Ｙ）、省エネモードに再度入り（ステップ１）、条件を満たさなければ（ステップ４；Ｎ）通常動作モードを継続する（ステップ３）。
省エネモードにおいて、復帰要因検知部２が省エネモードから通常モードへの復帰要因を検知しなければ（ステップ２；Ｎ）、省エネ状態のままである。そして、充電池４の状態が所定の値を下回ったことを充電池状態検知部５が検知しなければ（ステップ５；Ｎ）、充電池４から復帰要因検知部２への電力供給で省エネ状態を保つ（ステップ２）。
【０００８】
一方、充電池４の状態が所定の値を下回ったことを充電池状態検知部５が検知したら（ステップ５；Ｙ）、復帰要因検知部２への電力源を選択し切り替える電源選択・切り替え部８により、複数の電力源６の中で最小の消費電力の電力源をオンし（ステップ６）、充電池４は、復帰要因検知部２への電力供給をオフする（ステップ７）。
そして、充電池４への充電元として選択し切り替える充電元選択・切り替え部７により、複数の電力源６の中で最小な消費電力の電力源をオンして（ステップ８）、充電池４を充電する（ステップ９）。
充電池４の充電が終了したことを充電池状態検知部５が検知するまで、充電池４の充電を続ける（ステップ１０）。
充電池４への充電が終了したことを充電池状態検知部５が検知したら（ステップ１０；Ｙ）、復帰要因検知部２への電力源を選択し切り替える電源選択・切り替え部８により充電池４の復帰要因検知部２への電力供給をオンし（ステップ１１）、ここまで復帰要因検知部２に電力を供給していた、複数の電力源６の中で最小の消費電力の電力源をオフする（ステップ１２）。
そして、充電池４への充電元として選択し切り替える充電元選択・切り替え部７により、これまで充電池４を充電していた、複数の電力源６の中で最小の消費電力の電力源をオフし（ステップ１３）、ステップ２へ戻る。
また、ステップ６〜ステップ１３の過程で復帰要因を検知した旨の割り込みがあった場合（ステップ２；Ｙ）、必ず通常動作モードに復帰する（ステップ３）。
この実施例によれば、復帰要因検知部２に途絶えることなく供給する電力源は使用可能な最も消費電力が少ない電力源を選択して使用するため、消費電力の低減も出来る。
また、充電池４の状態が所定値を下回ったことを、充電池状態検知部５が検知した時に、充電池４への充電元として選択し切り替える充電元選択・切り替え部７を有しているため、充電池４が放電したとしても、複数の電力源６の中から使用可能な最も消費電力が少ない電力源で上記充電池を充電するので、最適な電力源６により充電池４を充電でき、消費電力を低減できる。
【０００９】
次に、第２の実施例を説明する。
図３は、実施例２に係る画像処理装置の構成を示したブロック図である。図１に示した第１の実施例と同一の構成要素については、同一の符号を付してある。この画像処理装置１は、復帰要因検知部２、メイン制御部３、充電池４、充電池状態検知部５、複数の電力源６、充電元選択・切り替え部７、電源選択・切り替え部８および電力源検知部９より構成されている。
続いて、図４のフローチャートを参照して、第２の実施例の処理手順を説明する。
画像処理装置１が、充電池４からの電力供給で省エネモードを保っている（ステップ２１）。復帰要因検知部２が省エネモードから通常モードへの復帰要因を検知したら（ステップ２２；Ｙ）、メイン制御部３へ信号を送り、通常動作モードに復帰する（ステップ２３）。その後、画像処理装置１が省エネモードに入る条件を満たしたら（ステップ２４；Ｙ）、省エネモードに再度入り（ステップ２１）、条件を満たさなければ（ステップ２４；Ｎ）通常動作モードを継続する（ステップ２３）。
省エネモードにおいて、復帰要因検知部２が省エネモードから通常モードへの復帰要因を検知しなければ（ステップ２２；Ｎ）、省エネ状態のままである。そして、充電池４の状態が所定の値を下回ったことを充電池状態検知部５が検知しなければ（ステップ２５；Ｎ）、充電池４から復帰要因検知部２への電力供給で省エネ状態を保つ（ステップ２２）。
【００１０】
一方、充電池４の状態が所定の値を下回ったことを充電池状態検知部５が検知して（ステップ２５；Ｙ）、充電池４への充電と復帰要因検知部２への電力供給の切り替えが必要になったにもかかわらず、電力源検知部９が使用可能な電力源を検知できなかった時（ステップ２６；Ｎ）、充電池４は充電できないので当然放電していく。そして、充電池状態検知部５が、充電池４の状態が所定の値を更に下回る値を下回ったことを検知したら（ステップ３５；Ｙ）、画像処理装置１を安全にシャットダウンする（ステップ３６）。充電池状態検知部５が、充電池４の状態が所定の値を更に下回る値を下回ったことを検知しなければ（ステップ３５；Ｎ）、電力源検知部９が使用可能な電力源を検知するのを待って、状態を維持する（ステップ２６）。
【００１１】
一方、充電池４の状態が所定の値を下回ったことを充電池状態検知部５が検知し（ステップ２５；Ｙ）、電力源検知部９が使用可能な電力源を検知したら（ステップ２６；Ｙ）、復帰要因検知部２への電力源を選択し切り替える電源選択・切り替え部８により、複数の電力源６の中で最小の消費電力の電力源をオンし（ステップ２７）、充電池４は、復帰要因検知部２への電力供給をオフする（ステップ２８）。
そして、充電池４への充電元として選択し切り替える充電元選択・切り替え部７により、複数の電力源６の中で最小な消費電力の電力源をオンして（ステップ２９）、充電池４を充電する（ステップ３０）。
充電池４の充電が終了したことを充電池状態検知部５が検知するまで、充電池４の充電を続ける（ステップ３１）。
【００１２】
充電池４への充電が終了したことを充電池状態検知部５が検知したら（ステップ３１；Ｙ）、復帰要因検知部２への電力源を選択し切り替える電源選択・切り替え部８により充電池４の復帰要因検知部２への電力供給をオンし（ステップ３２）、ここまで復帰要因検知部２に電力を供給していた、複数の電力源６の中で最小の消費電力の電力源をオフする（ステップ３３）。
、そして、充電池４への充電元として選択し切り替える充電元選択・切り替え部７により、これまで充電池４を充電していた、複数の電力源６の中で最小の消費電力の電力源をオフし（ステップ３４）、ステップ２２へ戻る。
また、ステップ２６〜ステップ３５の過程で復帰要因を検知した旨の割り込みがあった場合（ステップ２２；Ｙ）、必ず通常動作モードに復帰する（ステップ２３）。
【００１３】
次に、第３の実施例を説明する。
この第３の実施例に係る画像処理装置の構成は、図３に示したものと同様である。
続いて、図５のフローチャートを参照して、第３の実施例の処理手順を説明する。
画像処理装置１が、充電池４からの電力供給で省エネモードを保っている（ステップ４１）。復帰要因検知部２が省エネモードから通常モードへの復帰要因を検知したら（ステップ４２；Ｙ）、メイン制御部３へ信号を送り、通常動作モードに復帰する（ステップ４３）。その後、画像処理装置１が省エネモードに入る条件を満たしたら（ステップ４４；Ｙ）、省エネモードに再度入り（ステップ４１）、条件を満たさなければ（ステップ４４；Ｎ）通常動作モードを継続する（ステップ４３）。
省エネモードにおいて、復帰要因検知部２が省エネモードから通常モードへの復帰要因を検知しなければ（ステップ４２；Ｎ）、省エネ状態のままである。そして、充電池４の状態が所定の値を下回ったことを充電池状態検知部５が検知しなければ（ステップ４５；Ｎ）、充電池４から復帰要因検知部２への電力供給で省エネ状態を保つ（ステップ４２）。
【００１４】
充電池４の状態が所定の値を下回ったことを充電池状態検知部５が検知して（ステップ４５；Ｙ）、充電池４への充電と復帰要因検知部２への電力供給の切り替えが必要になったにもかかわらず、電力源検知部９が使用可能な電力源を検知できなかった時（ステップ４６；Ｎ）、充電池４は充電できないので当然放電していく。そして、充電池状態検知部５が、充電池の状態が所定の値を更に下回る値を下回ったことを検知したら（ステップ６５；Ｙ）、画像処理装置１を安全にシャットダウンする（ステップ６６）。充電池状態検知部５が、充電池４の状態が所定の値を更に下回る値を下回ったことを検知しなければ（ステップ６５；Ｎ）、電力源検知部９が使用可能な電力源を検知するのを待って、状態を維持する（ステップ４６）。
【００１５】
一方、充電池４の状態が所定の値を下回ったことを充電池状態検知部５が検知して（ステップ４５；Ｙ）、電力源検知部９が使用可能な電力源を検知して（ステップ４６；Ｙ）、かつその使用可能な電力源としてバスパワーを検知した場合（ステップ４７；Ｙ）、復帰要因検知部２への電力源を選択し切り替える電源選択・切り替え部８により、複数の電力源６の中で最小の消費電力のバスパワーをオンし（ステップ４８）、充電池４は、復帰要因検知部２への電力供給をオフする（ステップ４９）。そして、充電池４への充電元として選択し切り替える充電元選択・切り替え部７により、複数の電力源６の中で最小な消費電力のバスパワーをオンして（ステップ５０）、充電池４を充電する（ステップ５１）。
充電池４の充電が終了したことを充電池状態検知部５が検知しなければ（ステップ５２；Ｎ）、充電池４の充電を続ける（ステップ５１）。
充電池４の充電が終了したことを充電池状態検知部５が検知すれば（ステップ５２；Ｙ）、復帰要因検知部２への電力源を選択し切り替える電源選択・切り替え部８により、充電池４の復帰要因検知部２への電力供給をオンし（ステップ５３）、ここまで復帰要因検知部２に電力を供給していた、複数の電力源６の中で最小の消費電力のバスパワーをオフする（ステップ５４）。そして、充電池４への充電元として選択し切り替える充電元選択・切り替え部７により、これまで充電池４を充電していた、複数の電力源６の中で最小の消費電力のバスパワーをオフし（ステップ５５）、ステップ４２へ戻る。
【００１６】
充電池４の状態が所定の値を下回ったことを充電池状態検知部５が検知して（ステップ４５）、電力源検知部９が使用可能な電力源を検知して（ステップ４６；Ｙ）、かつその使用可能な電力源としてバスパワーを検知していない場合（ステップ４７；Ｎ）、バスパワーは全く検知できておらず、一方で使用可能なＡＣ電源は検知できている状態である（ステップ５６）。
ここで、復帰要因検知部２への電力源を選択し切り替える電源選択・切り替え部８により、ＡＣ電源をオンし（ステップ５７）、電源選択・切り替え部８により、充電池４は復帰要因検知部２への電力供給をオフする（ステップ５８）。そして充電池４への充電元として選択し切り替える充電元選択・切り替え部７により、ＡＣ電源をオンして（ステップ５９）、充電池４を充電する（ステップ６０）。
充電池４の充電が終了したことを充電池状態検知部５検知しなければ（ステップ６１；Ｎ）、充電池４の充電を続ける（ステップ６０）。
一方、充電池４の充電が終了したことを充電池状態検知部５が検知したら（ステップ６１；Ｙ）、復帰要因検知部２への電力源を選択し切り替える電源選択・切り替え部８により、充電池４の復帰要因検知部２への電力供給をオンする（ステップ６２）。
そして、ここまで復帰要因検知部２に電力を供給していた、ＡＣ電源をオフし（ステップ６３）、そして充電池４への充電元として選択し切り替える充電元選択・切り替え部７により、これまで充電池４を充電していた、ＡＣ電源をオフし（ステップ６４）、ステップ４２へ戻る。
【００１７】
また、ステップ４６〜ステップ６５の過程で復帰要因を検知した旨の割り込みがあった場合、（ステップ４２；Ｙ）、必ず通常動作モードに復帰する（ステップ４３）。
ステップ４８〜ステップ５５、ステップ５６〜ステップ６４を行っている時に、複数の電力源６の中で選択・使用している電力源を電力源検知部９が検知できないという割り込みが生じた時には必ずステップ４５へ戻る。
ステップ４８〜ステップ５５、ステップ５６〜ステップ６４の処理を行っている時に、選択・使用している電力源よりも消費電力が少ない新たな電力源を電力源検知部９が検知するという割り込みが生じた時には必ずステップ４５へ戻る。
また、複数の電力源６としてバスパワーとＡＣ電源を用いているが、数・種類ともこれに限定されるものではない。
【図面の簡単な説明】
【００１８】
【図１】第１の実施例に係る画像処理装置の構成を示したブロック図である。
【図２】第１の実施例の処理手順を示したフローチャートである。
【図３】第２、第３の実施例に係る画像処理装置の構成を示したブロック図である。
【図４】第２の実施例の処理手順を示したフローチャートである。
【図５】第３の実施例の処理手順を示したフローチャートである。
【符号の説明】
【００１９】
１  画像処理装置
２  復帰要因検知部
３  メイン制御部
４  充電池
５  充電池状態検知部
６  電力源（複数）
７  充電元選択・切り替え部
８  電源選択・切り替え部
９  電力源検知部
【図１】
2010003178.tif 000003
【図２】
2010003178.tif 000004
【図３】
2010003178.tif 000005
【図４】
2010003178.tif 000006
【図５】
2010003178.tif 000007